(57)【要約】【課題】引出状態に関わらず良好にワイヤハーネスの曲げに追従させることができ、しかも、ワイヤハーネスを安定して支持することが可能なグロメットを提供すること。【解決手段】パネル装着部１１は、フード部２１と、フード部２１の一面側を塞ぐように設けられた面状部２２と、面状部２２から引き出されるワイヤハーネスＷの周面に沿ってフード部２１と反対側へ延在されてワイヤハーネスＷに固定される一対の支持片３１を有するハーネス支持部２３と、を備え、面状部２２は、ハーネス支持部２３の根元部分に形成されてワイヤハーネスＷが通される支持片３１同士の隙間Ｇに繋がるように支持片３１の配列と直交する方向へ膨出する開口部４１と、ハーネス支持部２３及び開口部４１の外周を囲うように周方向にわたって径方向に交互に形成された山部４６と谷部４７とからなる蛇腹部４５と、を有する。【選択図】図１
2020145813.tif 000002
【特許請求の範囲】
【請求項１】
ワイヤハーネスが挿通される外装筒部と、パネルに装着されるパネル装着部と、を備えたグロメットであって、
前記パネル装着部は、
前記パネルに形成された取付孔に嵌め込まれて前記パネルに組付けられる凹状のフード部と、
前記フード部の一面側を塞ぐように設けられた面状部と、
前記面状部から引き出される前記ワイヤハーネスの周面に沿って前記フード部と反対側へ延在されて前記ワイヤハーネスに固定される一対の支持片を有するハーネス支持部と、
を備え、
前記面状部は、
前記ハーネス支持部の根元部分に形成され、前記ワイヤハーネスが通される前記支持片同士の隙間に繋がるように前記支持片の配列と直交する方向へ膨出する開口部と、
前記ハーネス支持部及び前記開口部の外周を囲うように周方向にわたって径方向に交互に形成された山部と谷部とからなる蛇腹部と、
を有する
ことを特徴とするグロメット。
【請求項２】
前記開口部は、
前記ハーネス支持部側に形成された大径部と、
前記大径部よりも小さい曲率半径を有し、前記大径部の周縁の一部に連続して形成された小径部と、
を有する
ことを特徴とする請求項１に記載のグロメット。
【請求項３】
前記開口部の縁部に、補強リブが形成され、
前記補強リブが前記支持片に連設されている
ことを特徴とする請求項１または請求項２に記載のグロメット。
【請求項４】
前記パネル装着部は、正面視において、引き出される前記ワイヤハーネスの曲げ方向に直交する方向に長い外形を有している
ことを特徴とする請求項１から３のいずれか一項に記載のグロメット。
【発明の詳細な説明】
【技術分野】
【０００１】
本発明は、グロメットに関する。
【背景技術】
【０００２】
例えば、自動車等の車両の車体とドアとの間に配索されるワイヤハーネスは、可撓性を有するグロメットに通されることで保護されるとともに防水性が確保される。
【０００３】
グロメットとしては、ワイヤハーネスが挿通される小径筒部と、小径筒部から外側に拡がるとともに小径筒部の軸方向に延びるように形成される拡径筒部と、拡径筒部の内周面から径方向内側に張出して拡径筒部を閉鎖する閉鎖面部と、閉鎖面部から軸方向一方側に延びてワイヤハーネスが挿通される補助筒部とを備え、閉鎖面部が、周方向に延びる山部と谷部とが交互に設けられた蛇腹部を有しているものがある（例えば、特許文献１参照）。このグロメットでは、ワイヤハーネスが通された補助筒部を支持する閉鎖面部に蛇腹部が設けられているため、ワイヤハーネスの引出方向に柔軟に追従させることができる。
【先行技術文献】
【特許文献】
【０００４】
【特許文献１】特開２０１７−１０６３８号公報
【発明の概要】
【発明が解決しようとする課題】
【０００５】
ところで、ワイヤハーネスの引出箇所の近傍に構造体等がある場合では、ワイヤハーネスの配索経路が急激に曲がる経路となる。この場合、ワイヤハーネスが挿通された補助筒部も急激に曲げる必要があるが、閉鎖面部に蛇腹部を形成した程度では、補助筒部の急激な曲げに追従させることが困難となる。
【０００６】
上記特許文献１に記載のグロメットでは、閉鎖面部に径方向へ沿うスリットが形成されていることから、蛇腹部が容易に変形して急激な曲げに対してある程度追従可能であると思われる。しかし、このグロメットでは、閉鎖面部における蛇腹部の形成箇所にわたってスリットが形成されていることで、ワイヤハーネスの急激な曲げ状態によって閉鎖面部が弛んで補助筒部が垂れ下がってしまい、ワイヤハーネスの支持が不安定となってしまう。
【０００７】
本発明は、上述した事情に鑑みてなされたものであり、その目的は、引出状態に関わらず良好にワイヤハーネスの曲げに追従させることができ、しかも、ワイヤハーネスを安定して支持することが可能なグロメットを提供することにある。
【課題を解決するための手段】
【０００８】
前述した目的を達成するために、本発明に係るグロメットは、下記（１）〜（４）を特徴としている。
（１）  ワイヤハーネスが挿通される外装筒部と、パネルに装着されるパネル装着部と、を備えたグロメットであって、
前記パネル装着部は、
前記パネルに形成された取付孔に嵌め込まれて前記パネルに組付けられる凹状のフード部と、
前記フード部の一面側を塞ぐように設けられた面状部と、
前記面状部から引き出される前記ワイヤハーネスの周面に沿って前記フード部と反対側へ延在されて前記ワイヤハーネスに固定される一対の支持片を有するハーネス支持部と、
を備え、
前記面状部は、
前記ハーネス支持部の根元部分に形成され、前記ワイヤハーネスが通される前記支持片同士の隙間に繋がるように前記支持片の配列と直交する方向へ膨出する開口部と、
前記ハーネス支持部及び前記開口部の外周を囲うように周方向にわたって径方向に交互に形成された山部と谷部とからなる蛇腹部と、
を有する
ことを特徴とするグロメット。
（２）  前記開口部は、
前記ハーネス支持部側に形成された大径部と、
前記大径部よりも小さい曲率半径を有し、前記大径部の周縁の一部に連続して形成された小径部と、
を有する
ことを特徴とする（１）に記載のグロメット。
（３）  前記開口部の縁部に、補強リブが形成され、
前記補強リブが前記支持片に連設されている
ことを特徴とする（１）または（２）に記載のグロメット。
（４）  前記パネル装着部は、正面視において、引き出される前記ワイヤハーネスの曲げ方向に直交する方向に長い外形を有している
ことを特徴とする（１）から（３）のいずれか一つに記載のグロメット。
【０００９】
上記（１）の構成のグロメットによれば、面状部の蛇腹部が伸縮することで、ハーネス支持部に支持されたワイヤハーネスの曲げに追従させることができる。したがって、パネル装着部の外形の変形を抑えることができ、パネルの取付孔における良好なシール性を確保することができる。
特に、引き出されるワイヤハーネスが急激に曲げられて配索されるような場合であっても、ハーネス支持部の根元に開口部を有するので、面状部を円滑に弾性変形させて曲げに追従させることができる。しかも、蛇腹部がハーネス支持部及び開口部の外周を囲うように設けられているので、蛇腹部にわたってスリットを形成したものと比べ、面状部に適度な剛性を持たせて弛みなく弾性変形させることができる。これにより、ワイヤハーネスの良好な支持状態を維持させつつハーネス支持部をワイヤハーネスの曲げに追従させることができる。
上記（２）の構成のグロメットによれば、大径部によって蛇腹部の柔軟性を高めて面状部の良好な柔軟性を確保することができ、しかも、小径部によって面状部の過度な弾性変形を抑えてワイヤハーネスの急激な曲げによる面状部の弛みを抑制することができる。
上記（３）の構成のグロメットによれば、支持片に連設する補強リブを開口部の縁部に形成することで、ハーネス支持部の根元部分を補強して剛性を高め、面状部の弛みをさらに抑制することができる。
上記（４）の構成のグロメットによれば、蛇腹部における伸び代を大きくでき、ワイヤハーネスの曲げに対して良好に追従させることができる。
【発明の効果】
【００１０】
本発明によれば、引出状態に関わらず良好にワイヤハーネスの曲げに追従させることができ、しかも、ワイヤハーネスを安定して支持することが可能なグロメットを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るグロメットの斜視図である。
【図２】図２は、本実施形態に係るグロメットを示す図であって、図２（ａ）は側面図、図２（ｂ）は正面図である。
【図３】図３は、本実施形態に係るグロメットを示す図であって、図３（ａ）は図２（ｂ）におけるＡ−Ａ断面図、図３（ｂ）は図２（ｂ）におけるＢ−Ｂ断面図である。
【図４】図４は、グロメットの装着状態を示す図であって、図４（ａ）は側面図、図４（ｂ）は正面図である。
【図５】図５は、グロメットの装着状態を示す図４（ｂ）におけるＣ−Ｃ断面図である。
【発明を実施するための形態】
【００１３】
以下、本発明に係る実施の形態の例を、図面を参照して説明する。
図１は、本実施形態に係るグロメットの斜視図である。図２は、本実施形態に係るグロメットを示す図であって、図２（ａ）は側面図、図２（ｂ）は正面図である。図３は、本実施形態に係るグロメットを示す図であって、図３（ａ）は図２（ｂ）におけるＡ−Ａ断面図、図３（ｂ）は図２（ｂ）におけるＢ−Ｂ断面図である。
【００１４】
図１から図３に示すように、本実施形態に係るグロメット１０は、複数本の電線を束ねた電線束からなるワイヤハーネスＷに装着されるもので、ゴムまたはエラストマー等の弾性材料によって一体成形されている。
【００１５】
グロメット１０は、パネル装着部１１と、外装筒部１２とを備えており、パネル装着部１１に外装筒部１２が一体に形成されている。外装筒部１２は、チューブ状に形成されており、パネル装着部１１に連設されている。外装筒部１２には、ワイヤハーネスＷが挿通されており、ワイヤハーネスＷは、その外周側が外装筒部１２によって覆われて保護される。外装筒部１２は、蛇腹形状に形成されて軸方向に伸縮可能とされている。
【００１６】
グロメット１０は、例えば、自動車等の車両のボディやドアのパネルＰに形成された取付孔Ｐａに対してパネル装着部１１が嵌め込まれることでパネルＰに組付けられる。パネルＰの取付孔Ｐａは、長円形状に形成されており、この取付孔Ｐａに嵌め込まれるパネル装着部１１も、正面視で長円形状に形成されている。
【００１７】
グロメット１０のパネル装着部１１は、フード部２１と、面状部２２と、ハーネス支持部２３とを備えている。
【００１８】
フード部２１は、周壁部２４と、底壁部２５とを有する凹状に形成されており、底壁部２５に外装筒部１２が連設されている。周壁部２４には、外周側へ張り出す環状の基部２６が形成されており、この基部２６における底壁部２５側の根元には、係合溝部２７が形成されている。パネル装着部１１をパネルＰの取付孔Ｐａへ嵌め込むことで、係合溝部２７には、パネルＰの取付孔Ｐａの縁部が係合される。これにより、グロメット１０がパネルＰに対してシール性を確保しつつ装着される。
【００１９】
面状部２２は、フード部２１の周壁部２４における底壁部２５と反対側に設けられている。これにより、凹状に形成されたフード部２１は、底壁部２５と反対側である一面側が面状部２２で覆われて塞がれている。
【００２０】
ハーネス支持部２３は、面状部２２の中心位置に設けられている。ハーネス支持部２３は、一対の支持片３１を有している。これらの支持片３１は、面状部２２に連設されており、フード部２１に対して外装筒部１２と反対側に延在されている。これらの支持片３１は、互いに隙間Ｇをあけて配置されており、それぞれの対向側が凹む断面視円弧状に形成されている。
【００２１】
このハーネス支持部２３には、支持片３１同士の隙間Ｇに、外装筒部１２に通されてパネル装着部１１から引き出されるワイヤハーネスＷが通される。そして、このハーネス支持部２３では、支持片３１とともにワイヤハーネスＷにテープＴが巻回され、これにより、ワイヤハーネスＷがハーネス支持部２３に固定されて支持される。ハーネス支持部２３に支持されたワイヤハーネスＷは、パネル装着部１１の幅方向へ曲げて配索可能とされている。つまり、グロメット１０は、そのパネル装着部１１が、正面視において、ワイヤハーネスＷの曲げ方向に直交する方向に長い縦長形状の外形を有している。
【００２２】
面状部２２は、薄肉の膜状に形成されている。この面状部２２は、開口部４１と、蛇腹部４５とを有している。
【００２３】
開口部４１は、ハーネス支持部２３の支持片３１同士の隙間Ｇに繋がるようにハーネス支持部２３の両側に形成されている。この開口部４１は、面状部２２における支持片３１の根元部分において、支持片３１の配列と直交する方向へ膨出するように形成されている。この開口部４１は、大径部４２と、小径部４３とを有している。小径部４３は、大径部４２よりも曲率半径が小さくされている。大径部４２は、支持片３１側に形成されており、小径部４３は、各支持片３１の中間位置において、大径部４２の周縁の一部に連続して形成されている。また、大径部４２と小径部４３とを有する開口部４１には、その縁部にハーネス支持部２３の延在方向へ突出する補強リブ４４が形成されている。この補強リブ４４は、ハーネス支持部２３のそれぞれの支持片３１に連設されている。
【００２４】
蛇腹部４５は、山部４６と、谷部４７とを有している。断面視において、山部４６は、面状部２２におけるハーネス支持部２３の延在方向である表面側に突出され、谷部４７は、面状部２２におけるハーネス支持部２３の延在方向と反対側の裏面側へ凹まされている。これらの山部４６及び谷部４７は、それぞれ周方向にわたって形成されている。蛇腹部４５は、面状部２２の中央位置に設けられたハーネス支持部２３及び開口部４１の外周を囲うように形成されている。
【００２５】
次に、本実施形態に係るグロメット１０を設置する場合について説明する。
まず、ワイヤハーネスＷにグロメット１０を装着する。具体的には、ワイヤハーネスＷを、グロメット１０の外装筒部１２に挿通させる。そして、パネル装着部１１の面状部２２に設けられたハーネス支持部２３の支持片３１同士の隙間ＧからワイヤハーネスＷを引き出し、この引き出したワイヤハーネスＷに対して、支持片３１とともにテープＴを巻回し、ワイヤハーネスＷをハーネス支持部２３に固定する。
【００２６】
次に、外装筒部１２をパネルＰの取付孔Ｐａへ挿し込み、グロメット１０のパネル装着部１１を取付孔Ｐａに嵌め込んで取付孔Ｐａの縁部を係合溝部２７に係合させる。これにより、グロメット１０をパネルＰに組付ける。パネルＰにグロメット１０を組付けたら、グロメット１０のパネル装着部１１から引き出したワイヤハーネスＷを予め設定された経路に合わせて配索する。
【００２７】
図４は、グロメットの装着状態を示す図であって、図４（ａ）は側面図、図４（ｂ）は正面図である。図５は、グロメットの装着状態を示す図４（ｂ）におけるＣ−Ｃ断面図である。
【００２８】
例えば、車両等のドアの内部にグロメット１０のパネル装着部１１から引き出したワイヤハーネスＷを配索する場合、グロメット１０のパネル装着部１１に対してワイヤハーネスＷの引出箇所の近傍にガラスなどの構造体が配置される場合がある。
【００２９】
このような場合、図４（ａ）（ｂ）及び図５に示すように、構造体Ｓと干渉しないように、グロメット１０のパネル装着部１１から引き出したワイヤハーネスＷを急激に曲げて配索する必要がある。このように、グロメット１０のパネル装着部１１から引き出したワイヤハーネスＷを急激に曲げると、ワイヤハーネスＷに固定されたハーネス支持部２３は、曲げの外側の支持片３１が強く引っ張られるとともに、曲げの内側の支持片３１が強く圧縮される。すると、パネル装着部１１の面状部２２は、支持片３１の引っ張り及び圧縮によって弾性変形する。具体的には、曲げの外側では、蛇腹部４５の山部４６及び谷部４７が引き伸ばされて面状部２２が手前に引き出される。また、曲げの内側では、蛇腹部４５の山部４６及び谷部４７が互いに押し付けられるように圧縮されて面状部２２が押し込められる。
【００３０】
このように、本実施形態に係るグロメット１０では、面状部２２の蛇腹部４５が伸縮することで、ハーネス支持部２３に支持されたワイヤハーネスＷの曲げに追従させることができる。したがって、パネル装着部１１の外形の変形を抑えることができ、パネルＰの取付孔Ｐａにおける良好なシール性を確保することができる。
【００３１】
特に、引き出されるワイヤハーネスＷが急激に曲げられて配索されるような場合であっても、ハーネス支持部２３の根元に開口部４１を有するので、面状部２２を円滑に弾性変形させて曲げに追従させることができる。しかも、蛇腹部４５がハーネス支持部２３及び開口部４１の外周を囲うように設けられているので、蛇腹部にわたってスリットを形成したものと比べ、面状部２２に適度な剛性を持たせて弛みなく弾性変形させることができる。これにより、ワイヤハーネスＷの良好な支持状態を維持させつつハーネス支持部２３をワイヤハーネスＷの曲げに追従させることができる。
【００３２】
また、開口部４１は、ハーネス支持部２３側に形成された大径部４２と、大径部４２よりも小さい曲率半径を有して大径部４２の周縁の一部に連続して形成された小径部４３とを有している。したがって、大径部４２によって蛇腹部４５の柔軟性を高めて面状部２２の良好な柔軟性を確保することができ、しかも、小径部４３によって面状部２２の過度な弾性変形を抑えてワイヤハーネスＷの急激な曲げによる面状部２２の弛みを抑制することができる。
【００３３】
また、ハーネス支持部２３の各支持片３１に連設する補強リブ４４が開口部４１の縁部に形成されているので、ハーネス支持部２３の根元部分を補強して剛性を高め、面状部２２の弛みをさらに抑制することができる。
【００３４】
また、パネル装着部１１は、正面視において、引き出されるワイヤハーネスＷの曲げ方向に直交する方向に長い縦長形状の外形を有している。したがって、蛇腹部４５における伸び代を大きくでき、ワイヤハーネスＷの曲げに対して良好に追従させることができる。
【００３５】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３６】
ここで、上述した本発明に係るグロメットの実施形態の特徴をそれぞれ以下［１］〜［４］に簡潔に纏めて列記する。
［１］  ワイヤハーネス（Ｗ）が挿通される外装筒部（１２）と、パネル（Ｐ）に装着されるパネル装着部（１１）と、を備えたグロメット（１０）であって、
前記パネル装着部（１１）は、
前記パネル（Ｐ）に形成された取付孔（Ｐａ）に嵌め込まれて前記パネル（Ｐ）に組付けられる凹状のフード部（２１）と、
前記フード部（２１）の一面側を塞ぐように設けられた面状部（２２）と、
前記面状部（２２）から引き出される前記ワイヤハーネス（Ｗ）の周面に沿って前記フード部（２１）と反対側へ延在されて前記ワイヤハーネス（Ｗ）に固定される一対の支持片（３１）を有するハーネス支持部（２３）と、
を備え、
前記面状部（２２）は、
前記ハーネス支持部（２３）の根元部分に形成され、前記ワイヤハーネス（Ｗ）が通される前記支持片（３１）同士の隙間（Ｇ）に繋がるように前記支持片（３１）の配列と直交する方向へ膨出する開口部（４１）と、
前記ハーネス支持部（２３）及び前記開口部（４１）の外周を囲うように周方向にわたって径方向に交互に形成された山部（４６）と谷部（４７）とからなる蛇腹部（４５）と、
を有する
ことを特徴とするグロメット。
［２］  前記開口部（４１）は、
前記ハーネス支持部（２３）側に形成された大径部（４２）と、
前記大径部（４２）よりも小さい曲率半径を有し、前記大径部（４２）の周縁の一部に連続して形成された小径部（４３）と、
を有する
ことを特徴とする［１］に記載のグロメット。
［３］  前記開口部（４１）の縁部に、補強リブ（４４）が形成され、
前記補強リブ（４４）が前記支持片（３１）に連設されている
ことを特徴とする［１］または［２］に記載のグロメット。
［４］  前記パネル装着部（１１）は、正面視において、引き出される前記ワイヤハーネス（Ｗ）の曲げ方向に直交する方向に長い外形を有している
ことを特徴とする［１］から［３］のいずれか一つに記載のグロメット。
【符号の説明】
【００３７】
１０：グロメット
１１：パネル装着部
１２：外装筒部
２１：フード部
２２：面状部
２３：ハーネス支持部
３１：支持片
４１：開口部
４２：大径部
４３：小径部
４４：補強リブ
４５：蛇腹部
４６：山部
４７：谷部
Ｇ：隙間
Ｐ：パネル
Ｐａ：取付孔
Ｗ：ワイヤハーネス
【図１】
2020145813.tif 000003
【図２】
2020145813.tif 000004
【図３】
2020145813.tif 000005
【図４】
2020145813.tif 000006
【図５】
2020145813.tif 000007